(57)【要約】【課題】複数の信号経路からそれぞれ受信したＭＰＥＧ２  ＴＳ信号形式の圧縮映像音声信号の誤りをより厳密に検出し、より正確に、誤りがない正常な映像音声信号を復号したベースバンド映像音声信号を選択してシームレスに切り替えることが可能な映像音声信号シームレス切替装置を提供する。【解決手段】第１〜第Ｎの受信基地局８それぞれで受信した圧縮映像音声信号のそれぞれを第１〜第Ｎのビデオ／オーディオデコーダ１３それぞれでベースバンド映像音声信号に復号した際の復号時のエラーおよび／または復号後のベースバンド映像音声信号のエラーの検出結果を示すエラー情報１５に基づいて、第１〜第Ｎのビデオ／オーディオデコーダ１３からの復号後のベースバンド映像音声信号１４のうち、いずれかのベースバンド映像音声信号を映像音声信号シームレス切替回路１６にて選択してシームレスに切り替えて出力する。【選択図】        図１
2009218767.tif 000002
【特許請求の範囲】
【請求項１】
複数の信号経路から伝送されてくるＭＰＥＧ２  ＴＳ（Transport  Stream）信号形式の圧縮映像音声信号のいずれかを選択してシームレスに切り替えてベースバンド映像音声信号に復号して出力する映像音声信号シームレス切替装置であって、複数の信号経路それぞれからの前記圧縮映像音声信号を復号するビデオ／オーディオデコーダを前記信号経路それぞれに対応して備え、該ビデオ／オーディオデコーダそれぞれにおける復号時のエラーおよび／または復号後のベースバンド映像音声信号のエラーの検出結果に基づいて、複数の復号後のベースバンド映像音声信号のうち、いずれかのベースバンド映像音声信号を選択してシームレスに切り替えて出力することを特徴とする映像音声信号シームレス切替装置。
【請求項２】
前記ビデオ／オーディオデコーダそれぞれにおける復号後のベースバンド映像音声信号のエラーを検出する際に、少なくとも、復号後のベースバンド映像音声信号の各レイヤについて、ＭＰＥＧ２の各レイヤごとの信号規格を満たしているか否かをチェックすることを特徴とする請求項１に記載の映像音声信号シームレス切替装置。
【請求項３】
複数の前記ビデオ／オーディオデコーダからの復号後のベースバンド映像音声信号それぞれの位相を揃えるための遅延調整手段を備えていることを特徴とする請求項１または２に記載の映像音声信号シームレス切替装置。
【請求項４】
複数の信号経路から伝送されてくるＭＰＥＧ２  ＴＳ（Transport  Stream）信号形式の圧縮映像音声信号のいずれかを選択してシームレスに切り替えてベースバンド映像音声信号に復号して出力する映像音声信号シームレス切替方法であって、複数の信号経路それぞれからの前記圧縮映像音声信号を復号するビデオ／オーディオデコーダを前記信号経路それぞれに対応して備え、該ビデオ／オーディオデコーダそれぞれにおける復号時のエラーおよび／または復号後のベースバンド映像音声信号のエラーの検出結果に基づいて、複数の復号後のベースバンド映像音声信号のうち、いずれかのベースバンド映像音声信号を選択してシームレスに切り替えて出力することを特徴とする映像音声信号シームレス切替方法。
【請求項５】
前記ビデオ／オーディオデコーダそれぞれにおける復号後のベースバンド映像音声信号のエラーを検出する際に、少なくとも、復号後のベースバンド映像音声信号の各レイヤについて、ＭＰＥＧ２の各レイヤごとの信号規格を満たしているか否かをチェックすることを特徴とする請求項４に記載の映像音声信号シームレス切替方法。
【請求項６】
複数の前記ビデオ／オーディオデコーダからの復号後のベースバンド映像音声信号それぞれの位相を揃えて出力することを特徴とする請求項４または５に記載の映像音声信号シームレス切替方法。
【請求項７】
ＭＰＥＧ２  ＴＳ信号形式の前記圧縮映像音声信号複数の信号経路が空中を電波として伝播する無線回線であった場合、該電波を受信する受信アンテナとして、複数本のアンテナを用い、それぞれの前記受信アンテナのうち、受信レベルが最も高い受信アンテナの受信信号に切り替えて受信することを特徴とする請求項４ないし６のいずれかに記載の映像音声信号シームレス切替方法。
【発明の詳細な説明】
【技術分野】
【０００１】
本発明は、複数の信号経路で伝送される圧縮映像音声信号の系統切替をシームレスに行う映像音声信号シームレス切替装置および映像音声信号シームレス切替方法に関し、特に、復号してベースバンド信号に戻す過程の異常や、復号後のベースバンド信号の異常の有無の検出結果に基づいて、信号経路をシームレスに切り替える映像音声信号シームレス切替装置および映像音声信号シームレス切替方法に関する。
【背景技術】
【０００２】
複数の信号経路から送信されてくる圧縮映像音声信号の信号系統をシームレスに切り替える従来のシステム構成として、特許文献１の特開２００２−０８４２１５号公報「ルートダイバーシティ受信装置」に記載された技術がある。該特許文献１におけるシステム構成を概念的に示すと、図５に示す通りであり、放送センタ１２内に設置されているＴＳ信号シームレス切替器３５によって、映像音声信号の信号系統をいずれかの信号経路からの信号に切り替えている。図５に示すように、移動中継車１に搭載されたカメラ２からの映像音声信号は、ビデオ／オーディオエンコーダ（ＥＮＣ）３によって圧縮符号化されて、ＭＰＥＧ２  ＴＳ(Transport  Stream)信号形式にされて、ＦＰＵ送信機（Field  Pickup  Unit：無線中継伝送装置)４に伝送される。ＦＰＵ送信機４にてデジタル変調されたＭＰＥＧ２  ＴＳ信号は、マイクロ波またはＵＨＦ波の信号として、無指向性アンテナ５から空中へ送信される。
【０００３】
空中に送信された電波は、移動無線回線６を経由して、第１、第２、…，第Ｎの複数の受信基地局８それぞれの受信アンテナ７にて受信され、それぞれのＦＰＵ受信機９によって復調された後、各受信基地局８から放送センタ１２まで、マイクロ波などの無線固定回線１０や光固定回線１１などを介して伝送される。
【０００４】
放送センタ１２では、ＴＳ信号シームレス切替器３５によって、第１、第２、…，第Ｎの複数の受信基地局８からのデータの中で、ＭＰＥＧ２  ＴＳ信号レベルにおいて異常がない受信基地局８からのデータを選択してシームレスに切り替えて、ビデオ／オーディオデコーダ１３に出力することによって、該ビデオ／オーディオデコーダ１３にてベースバンド信号に復号して、移動中継車１からの受信映像、音声を異常なく再生可能としている。なお、ビデオ／オーディオデコーダ１３は、順次入力されてくるＴＳ信号をベースバンド信号に復号した結果、映像信号についてはモニタ１７に表示し、音声信号についてはスピーカ１８から出力するものである。
【特許文献１】特開２００２−０８４２１５号公報（第３−４頁）
【発明の開示】
【発明が解決しようとする課題】
【０００５】
しかしながら、前記特許文献１のような従来の技術においては、圧縮された映像音声信号をＴＳ信号として受信して、受信したＴＳ信号のレベルで、信号の異常を検出して、異常がない信号を選択して切り替えるという方式であり、受信信号のペイロード内の実体データを、厳密に検出して、その検出結果に基づいてシームレスに切替を行うというものではないという問題がある。
【０００６】
つまり、従来技術において信号の異常を厳密に検出することができない理由は、ＴＳ信号レベルでの信号の異常検出は、リードソロモンエラー訂正などの誤り訂正処理において誤りを検出することによって実施されるものであり、実体データなどの異常のように、ペーロードに関する誤り訂正方式の限界を超えた異常がＴＳ信号に発生した場合には、その異常を検出することができなくなるためである。
【０００７】
本発明は、かかる事情に鑑みてなされたものであり、受信信号の誤りをより厳密に検出して、誤りがない正常な受信信号を選択してシームレスに切り替えることを可能とする映像音声信号シームレス切替装置および映像音声信号シームレス切替方法を提供することを、その目的としている。
【０００８】
この結果として、本発明の第１の目的は、映像音声信号の伝送システムとしての信頼性向上を可能とする映像音声信号シームレス切替装置および映像音声信号シームレス切替方法を提供することにある。映像音声信号の異常検出をＴＳ信号レベルの場合よりもより厳密に行うことによって、シームレス切替を実施した後の映像音声信号についてはブロックノイズなどの乱れが発生しないようにし、映像音声信号の伝送システムの信頼性向上を図ることを、第１の目的としている。
【０００９】
本発明の第２の目的は、映像音声信号の伝送効率の向上を可能とする映像音声信号シームレス切替装置および映像音声信号シームレス切替方法を提供することにある。一般に、マイクロ波などの無線伝送においては、伝送レートを高速化させるほど、電波の指向性が強くなり、ビルなどの遮蔽物の存在によって無線回線が途切れ易くなり、受信信号の異常の発生頻度が高くなる。本発明の映像音声信号シームレス切替装置および映像音声信号シームレス切替方法は、ある受信基地局で無線回線の断絶が発生しても、同一の信号を受信している別の受信基地局からの信号にシームレスに切替を行うことによって、伝送レートの高速化による無線回線断絶の発生確率の増加を補償することができ、結果的に、無線回線で伝送し得る伝送スピードの限界に近い伝送レートで映像音声信号を伝送することを可能とすることを、第２の目的としている。
【課題を解決するための手段】
【００１０】
前述の課題を解決するため、本発明による映像音声信号シームレス切替装置および映像音声信号シームレス切替方法は、次のような特徴的な構成を採用している。
【００１１】
（１）複数の信号経路から伝送されてくるＭＰＥＧ２  ＴＳ（Transport  Stream）信号形式の圧縮映像音声信号のいずれかを選択してシームレスに切り替えてベースバンド映像音声信号に復号して出力する映像音声信号シームレス切替装置であって、複数の信号経路それぞれからの前記圧縮映像音声信号を復号するビデオ／オーディオデコーダを前記信号経路それぞれに対応して備え、該ビデオ／オーディオデコーダそれぞれにおける復号時のエラーおよび／または復号後のベースバンド映像音声信号のエラーの検出結果に基づいて、複数の復号後のベースバンド映像音声信号のうち、いずれかのベースバンド映像音声信号を選択してシームレスに切り替えて出力する映像音声信号シームレス切替装置。
【発明の効果】
【００１２】
本発明の映像音声信号シームレス切替装置および映像音声信号シームレス切替方法によれば、以下のような効果を得ることができる。
【００１３】
つまり、各受信基地局からの映像音声信号の異常の検出をベースバンド信号に復調した後で実施するので、映像音声信号の異常検出をより厳密に行うことができ、より確実に、正常な映像音声信号を選択して、シームレスに切り替えることが可能になり、伝送システムとしての映像音声信号の伝送効率の向上、信頼性向上を図ることができる。
【００１４】
従来技術の場合のようなＴＳ信号レベルのエラー検出は、エラー訂正回路からの訂正不可能という情報程度しか受信信号の異常検出に用いることができないが、復号後のベースバンド信号に基づくエラー検出の場合、受信信号の異常検出がより確実に実施することが可能になる理由は、ベースバンド信号を構成する各レイヤごとの信号について、各レイヤごとに定められているＭＰＥＧ  ２信号規格の内容に照らし合わせて、厳密にエラー検出を実施することができるためである。
【００１５】
すなわち、ＭＰＥＧ２のベースバンド信号のレイヤとして、
（１）シーケンスレイヤ
（２）ＧＯＰ(Group  Of  Pictures)レイヤ
（３）ピクチャレイヤ
（４）スライスレイヤ
（５）マクロレイヤ
（６）ブロックレイヤ
の６つのレイヤがあり、かつ、各レイヤごとに設けられたヘッダをチェックすることが可能であり、各ヘッダ内の不正データの有無をチェックすることによって、受信信号の異常の有無をより厳密に判断することが可能である。
【発明を実施するための最良の形態】
【００１６】
以下、本発明による映像音声信号シームレス切替装置および映像音声信号シームレス切替方法の好適な実施形態について添付図を参照して説明する。
【００１７】
（本発明の特徴）
本発明の実施形態の説明に先立って、本発明の特徴についてまずその概要を説明する。本発明は、複数の信号経路として、複数の各受信基地局から送られてくる圧縮映像音声信号を復号するためのデコーダ回路もしくはデコーダ装置をそれぞれに対応して複数備えており、それぞれのデコーダ回路／デコーダ装置においては、復号した映像音声信号を出力すると同時に、圧縮データ中のシーケンスエラーやフレームエラーなどや復号時の異常の検出の有無、および、復号後のベースバンド信号のデータに関する異常の有無を切替制御ロジックに出力する。切替制御ロジックにおいては、各デコーダ回路／デコーダ装置からの異常の検出の有無を示す情報を基にして、正常なベースバンド映像音声信号を出力している信号経路の映像音声信号を選択して、切替回路をシームレスに切り替えることによって、選択したベースバンド映像音声信号を出力する。
【００１８】
（本発明の実施形態の構成例）
次に、本発明の実施形態の構成例について図１を用いて説明する。図１は、本発明における圧縮映像音声信号の信号系統をシームレスに切り替えるシステム構成の一例を概念的に示すシステム構成図である。
【００１９】
図１に示すように、本発明の実施形態の構成は、移動中継車１に搭載された映像音声信号圧縮／送信源であるカメラ２、ビデオ／オーディオエンコーダ３、ＦＰＵ送信機４、無指向性アンテナ５と、第１、第２、…、第Ｎまでと複数用意された圧縮映像音声信号受信基地を構成する受信アンテナ７、受信基地局８、各受信基地局８に内蔵されたＦＰＵ受信機９、複数の受信基地局８からの圧縮映像音声信号が無線固定回線１０もしくは光固定回線１１を介して集められるセンタ基地である放送センタ１２、放送センタ１２内に設置された映像音声信号復号切替装置である映像音声信号シームレス切替装置２０、映像音声信号シームレス切替装置２０から出力されるベースバンド映像音声信号をモニタするためのＬＣＤ，ＣＲＴなどからなるモニタ１７、スピーカ１８を少なくとも含んで構成される。また、映像音声信号シームレス切替装置２０は、第１、第２、…、第Ｎまでと複数用意された映像音声信号復号回路（デコーダ回路もしくはデコーダ装置）であるビデオ／オーディオデコーダ１３、複数のビデオ／オーディオデコーダ１３のいずれかの出力をシームレスに選択して出力する映像音声信号シームレス切替回路１６を少なくとも含んで構成される。
【００２０】
つまり、図１のシステム構成は、従来技術として前述した図５と異なり、放送センタ１２内には、本発明に特有の装置を形成する映像音声信号シームレス切替装置２０として、第１、第２、…、第Ｎの複数の受信基地局８からの受信信号それぞれをベースバンド映像音声信号に復号するために、第１、第２、…、第Ｎのビデオ／オーディオデコーダ１３が複数用意されており、かつ、第１、第２、…、第Ｎのビデオ／オーディオデコーダ１３それぞれから出力される復号後のベースバンド映像音声信号のいずれかを選択してシームレスに切り替える映像音声信号シームレス切替回路１６が備えられている。
【００２１】
（本システム構成の動作の説明）
次に、図１に示すシステム構成の各構成要素の動作について説明する。図１において、移動中継車１に搭載された映像音声信号圧縮／送信源の動作は、図５の場合と同様であり、撮影用のカメラ２からの映像音声信号は、ＭＰＥＧ２エンコーダであるビデオ／オーディオエンコーダ（ＥＮＣ）３によって圧縮符号化されて、ＭＰＥＧ２  ＴＳ(Transport  Stream)信号形式にされて、ＦＰＵ送信機（Field  Pickup  Unit：無線中継伝送装置)４に伝送される。変調した無線伝送信号を生成するＦＰＵ送信機４において、圧縮符号化されたＭＰＥＧ２  ＴＳ信号は、マイクロ波またはＵＨＦ波の無線伝送信号にデジタル変調されて、無指向性アンテナ５から空中へ電波として発射される。
【００２２】
空中に発射された電波は、図５の場合と同様、移動無線回線６を経由して、第１、第２、…，第Ｎの複数の受信基地局８それぞれの受信アンテナ７にて受信され、それぞれのＦＰＵ受信機９によってＴＳ信号形式のデジタルデータに復調された後、各受信基地局８から放送センタ１２まで、マイクロ波などの無線固定回線１０や光固定回線１１などを介して伝送される。
【００２３】
放送センタ１２では、図５の場合とは異なり、映像音声信号シームレス切替装置２０に入力され、まず、第１、第２、…，第Ｎの複数の受信基地局８からのＴＳデータそれぞれを、対応する第１、第２、…，第Ｎの複数のビデオ／オーディオデコーダ１３に入力する。第１、第２、…，第Ｎの複数のビデオ／オーディオデコーダ１３は、それぞれ対応する信号経路の受信基地局８から送信されてきたＴＳ信号形式の圧縮映像音声信号をベースバンドの映像音声信号に復号して、映像音声信号１４として出力するとともに、復号時に異常が検出された場合や、復号後のベースバンドの映像音声信号についての各レイヤのエラーの有無のチェック結果として異常があった場合には、その旨を示す情報をエラー情報１５として出力する。ビデオ／オーディオデコーダ１３から出力されるベースバンド信号に復号した映像音声信号１４と異常チェック結果を示すエラー情報１５とは、映像音声信号シームレス切替回路１６に出力される。
【００２４】
映像音声信号シームレス切替回路１６においては、第１、第２、…，第Ｎの複数のビデオ／オーディオデコーダ１３から複数の回線を介して伝送されてきた、ベースバンド信号に復号された各映像音声信号１４のフレームタイミングを合わせ込む処理を行うとともに、各ビデオ／オーディオデコーダ１３から出力されてくるエラー情報１５を参照して、エラー情報１５の内容に応じて、選択する信号系統をシームレスに切り替える動作を行い、各ビデオ／オーディオデコーダ１３からの映像音声信号１４のうち、エラーが発生していない正常な映像音声信号を選択して出力する。映像音声信号シームレス切替回路１６から出力される映像信号はモニタ１７に表示され、音声信号はスピーカ１８から出力される。
【００２５】
なお、第１、第２、…，第Ｎの複数のビデオ／オーディオデコーダ１３それぞれには、図２に示すように、復号したＭＰＥＧ２のベースバンド信号について６つのレイヤそれぞれのヘッダ内の不正データの有無をチェックするためのチェックブロックがそれぞれのレイヤに対応して内蔵されている。つまり、以下に示すように、シーケンスレイヤチェックブロック２８、ＧＯＰレイヤチェックブロック２９、ピクチャレイヤチェックブロック３０、スライスレイヤチェックブロック３１、マクロレイヤチェックブロック３２、および、ブロックレイヤチェックブロック３３の６つのチェックブロックが、それぞれのレイヤに対応して内蔵されていて、それぞれのレイヤにおける異常を検出可能としている。
【００２６】
（１）シーケンスレイヤチェックブロック２８：シーケンスレイヤ用のヘッダのチェックブロック
（２）ＧＯＰレイヤチェックブロック２９：ＧＯＰ(Group  Of  Pictures)レイヤ用のヘッダのチェックブロック
（３）ピクチャレイヤチェックブロック３０：ピクチャレイヤ用のヘッダのチェックブロック
（４）スライスレイヤチェックブロック３１：スライスレイヤ用のヘッダのチェックブロック
（５）マクロレイヤチェックブロック３２：マクロレイヤ用のヘッダのチェックブロック
（６）ブロックレイヤチェックブロック３３：ブロックレイヤ用のヘッダのチェックブロック
【００２７】
なお、図２は、図１に示すビデオ／オーディオデコーダ１３に内蔵されているベースバンド映像音声信号の各レイヤごとのチェックブロックの構成の一例を示すブロック構成図である。各レイヤのチェックブロックによるチェック結果は、図２に示すように、エラー収集回路３４に集められて、いずれかのレイヤで異常を検出した場合には、異常検出の旨を示すエラー情報１５を出力する。
【００２８】
また、図１に示す映像音声信号シームレス切替装置２０のブロック構成の一例を、図３に示す。図３に示すように、映像音声信号シームレス切替装置２０は、第１、第２、…，第Ｎの複数の各受信基地局から送られてくる圧縮映像音声信号１９それぞれをベースバンド信号に復号するための複数（Ｎ個）のビデオ／オーディオデコーダ１３と、複数のビデオ／オーディオデコーダ１３のいずれかの出力を選択してシームレスに切り替えて出力する映像音声信号シームレス切替回路１６とを備えている。
【００２９】
図３において、各ビデオ／オーディオデコーダ１３は、前述したように、復号後のベースバンドの映像音声信号１４を出力するとともに、復号時のエラーや圧縮データ中のシーケンスエラーやフレームエラーや、各レイヤのヘッダのＭＰＥＧ２の信号規格違反などを検出すると、エラー情報１５を出力する。ここで、各ビデオ／オーディオデコーダ１３は、チップ構成のデコーダ回路（デコーダチップ）であっても良いし、装置構成のデコーダ装置であっても良い。
【００３０】
また、図３に示すように、映像音声信号シームレス切替回路１６は、複数の各ビデオ／オーディオデコーダ１３からの映像音声信号１４それぞれの位相を揃えるための（映像音声信号１４それぞれのフレームタイミングを合わせ込むための）遅延調整手段である複数の遅延調整回路２１、複数の各ビデオ／オーディオデコーダ１３からのエラー情報１５に基づいて、複数（Ｎ個）のビデオ／オーディオデコーダ１３からの映像音声信号１４のうち、映像音声信号シームレス切替回路１６から出力すべき映像音声信号１４を選択して、選択した映像音声信号１４の信号系統にシームレスに切り替える制御信号を出力する切替制御ロジック２２、切替制御ロジック２２からの制御信号に基づいて、信号系統を切り替えて、選択されたビデオ／オーディオデコーダ１３からの映像音声信号１４を出力する切替回路２３とを備えている。
【００３１】
図３に示す映像音声信号シームレス切替装置２０においては、各受信基地局８からの圧縮映像音声信号１９の異常の検出をビデオ／オーディオデコーダ１３によってベースバンド信号に復調した後で実施しているので、復号後の映像音声信号１４の異常検出をより厳密に行うことができ、映像音声信号シームレス切替回路１６によって、より確実に、エラーがない正常な映像音声信号を選択して、シームレスに切り替えることが可能になり、伝送システムとしての映像音声信号の伝送効率の向上、信頼性向上を図ることができる。
【００３２】
（本発明の他の実施形態の構成例）
図４は、本発明における圧縮映像音声信号の信号系統をシームレスに切り替えるシステム構成の前述した図１とは異なる例を概念的に示すシステム構成図である。図４のシステム構成は、第１、第２、…、第Ｎの受信基地局２６とそれぞれの受信基地局２６に備えられている受信アンテナ２４，２５との構成が、図１のシステム構成と異なっている場合を示すものであり、その他の構成要素については、図１の場合と全く同様であり、図１と同じ符号を付している。
【００３３】
図４に示すシステム構成においては、第１、第２、…、第Ｎの各受信基地局２６における無線電波の受信状態の向上を図るために、第１、第２、…、第Ｎの各受信基地局２６は、複数本の受信アンテナ（図４の例の場合は２本の第１、第２の受信アンテナ２４，２５）を備えるとともに、複数本の受信アンテナのうち、いずれかの受信アンテナからの受信信号を選択して受信する受信アンテナ切替回路２７を内蔵している。
【００３４】
ここで、図４の場合、２本の第１、第２の受信アンテナ２４，２５は、空間的な設置場所が異なるスペースダイバーシティアンテナとして構成するようにしても良いし、水平設置と垂直設置など設置角度が異なるスペースダイバーシティアンテナとして構成するようにしても良いし、他の形式のダイバーシティアンテナとして構成するようにしても良い。各受信基地局２６内の受信アンテナ切替回路２７によって、２本の第１、第２の受信アンテナ２４，２５のうち、受信レベルが高い方の受信アンテナの無線信号を取り込むように切替制御される。
【００３５】
つまり、本実施形態においては、信号経路が空中を電波として伝播する無線回線であった場合、電波を受信する受信アンテナとして、複数本のアンテナを用い、それぞれの受信アンテナの受信レベルのうち、受信レベルが最も高い受信アンテナの受信信号に切り替えて受信するように制御する例を示している。
【００３６】
本実施形態においては、前述の実施形態における放送センタ１２内の映像音声信号シームレス切替装置２０によるシームレスな切替動作に加えて、受信基地局８における無線電波の受信感度の向上を図ることができるので、さらに確実に、シームレスな切替動作が可能になり、伝送システムとしての映像音声信号の伝送効率の向上、信頼性向上をさらに図ることができる。
【００３７】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。例えば、本発明の実施態様は、課題を解決するための手段における構成（１）に加えて、次のような構成として表現できる。
【００３８】
（２）前記ビデオ／オーディオデコーダそれぞれにおける復号後のベースバンド映像音声信号のエラーを検出する際に、少なくとも、復号後のベースバンド映像音声信号の各レイヤについて、ＭＰＥＧ２の各レイヤごとの信号規格を満たしているか否かをチェックする上記（１）の映像音声信号シームレス切替装置。
（３）複数の前記ビデオ／オーディオデコーダからの復号後のベースバンド映像音声信号それぞれの位相を揃えるための遅延調整手段を備えている上記（１）または（２）の映像音声信号シームレス切替装置。
（４）複数の信号経路から伝送されてくるＭＰＥＧ２  ＴＳ（Transport  Stream）信号形式の圧縮映像音声信号のいずれかを選択してシームレスに切り替えてベースバンド映像音声信号に復号して出力する映像音声信号シームレス切替方法であって、複数の信号経路それぞれからの前記圧縮映像音声信号を復号するビデオ／オーディオデコーダを前記信号経路それぞれに対応して備え、該ビデオ／オーディオデコーダそれぞれにおける復号時のエラーおよび／または復号後のベースバンド映像音声信号のエラーの検出結果に基づいて、複数の復号後のベースバンド映像音声信号のうち、いずれかのベースバンド映像音声信号を選択してシームレスに切り替えて出力する映像音声信号シームレス切替方法。
（５）前記ビデオ／オーディオデコーダそれぞれにおける復号後のベースバンド映像音声信号のエラーを検出する際に、少なくとも、復号後のベースバンド映像音声信号の各レイヤについて、ＭＰＥＧ２の各レイヤごとの信号規格を満たしているか否かをチェックする上記（４）の映像音声信号シームレス切替方法。
（６）複数の前記ビデオ／オーディオデコーダからの復号後のベースバンド映像音声信号それぞれの位相を揃えて出力する上記（４）または（５）の映像音声信号シームレス切替方法。
（７）ＭＰＥＧ２  ＴＳ信号形式の前記圧縮映像音声信号複数の信号経路が空中を電波として伝播する無線回線であった場合、該電波を受信する受信アンテナとして、複数本のアンテナを用い、それぞれの前記受信アンテナのうち、受信レベルが最も高い受信アンテナの受信信号に切り替えて受信する上記（４）ないし（６）のいずれかの映像音声信号シームレス切替方法。
【図面の簡単な説明】
【００３９】
【図１】本発明における圧縮映像音声信号の信号系統をシームレスに切り替えるシステム構成の一例を概念的に示すシステム構成図である。
【図２】図１に示すビデオ／オーディオデコーダに内蔵されているベースバンド映像音声信号の各レイヤごとのチェックブロックの構成の一例を示すブロック構成図である。
【図３】図１に示す映像音声信号シームレス切替装置のブロック構成の一例を示すブロック構成図である。
【図４】本発明における圧縮映像音声信号の信号系統をシームレスに切り替えるシステム構成の図１とは異なる例を概念的に示すシステム構成図である。
【図５】従来の圧縮映像音声信号の信号系統をシームレスに切り替えるシステム構成を示すシステム構成図である。
【符号の説明】
【００４０】
１        移動中継車
２        カメラ
３        ビデオ／オーディオエンコーダ
４        ＦＰＵ送信機
５        無指向性アンテナ
６        移動無線回線
７        受信アンテナ
８        受信基地局
９        ＦＰＵ受信機
１０      無線固定回線
１１      光固定回線
１２      放送センタ
１３      ビデオ／オーディオデコーダ
１４      映像音声信号
１５      エラー情報
１６      映像音声信号シームレス切替回路
１７      モニタ
１８      スピーカ
１９      圧縮映像音声信号
２０      映像音声信号シームレス切替装置
２１      遅延調整回路
２２      切替制御ロジック
２３      切替回路
２４      第１の受信アンテナ
２５      第２の受信アンテナ
２６      受信基地局
２７      受信アンテナ切替回路
２８      シーケンスレイヤチェックブロック
２９      ＧＯＰレイヤチェックブロック
３０      ピクチャレイヤチェックブロック
３１      スライスレイヤチェックブロック
３２      マクロレイヤチェックブロック
３３      ブロックレイヤチェックブロック
３４      エラー収集回路
３５      ＴＳ信号シームレス切替器
【図１】
2009218767.tif 000003
【図２】
2009218767.tif 000004
【図３】
2009218767.tif 000005
【図４】
2009218767.tif 000006
【図５】
2009218767.tif 000007